(57)【特許請求の範囲】
【請求項１】
糸を案内するためのゴデットであって、
前記ゴデットは、電気駆動部（２）に結合された駆動可能なゴデット周壁（１）を有するゴデットにおいて、
前記電気駆動部（２）は、動作中断後に、手動で形成された前記ゴデット周壁（１）の回転運動によって前記電気駆動部（２）の再始動が実施可能となるように構成されている、
ことを特徴とするゴデット。
【請求項２】
前記電気駆動部（２）は、制御電子機器（５）が組み込まれたブラシレス同期モータ（４）によって構成されており、
前記ゴデット周壁（１）は、前記ブラシレス同期モータ（４）のモータ軸（３）に固定的に接続されている、
請求項１記載のゴデット。
【請求項３】
前記制御電子機器（５）は、誘導された電圧（Ｕ）を検出するための電圧測定器（１６）と、始動信号を生成するための評価ユニット（１９）と、を有する、
請求項２記載のゴデット。
【請求項４】
前記制御電子機器（５）は、モータ電流（Ｉ）を検出するための電流測定器（１６）と、始動信号を生成するための評価ユニット（１９）と、を有する、
請求項２記載のゴデット。
【請求項５】
前記評価ユニット（１９）は、前記ブラシレス同期モータ（４）の前記モータ軸（３）の角加速度（ａ）を求めるための微分オペレータ（３３）を有する、
請求項３又は４記載のゴデット。
【請求項６】
前記評価ユニット（１９）は、前記角加速度（ａ）の実際値を保存された閾値（ａｓ）と比較するための比較器（３４）を有する、
請求項５記載のゴデット。
【請求項７】
前記ゴデット周壁（１）に、小さい間隔をおいて摩擦手段（２４）が割り当てられており、前記摩擦手段（２４）は、前記ゴデット周壁に対向する側に摩擦面（２６）を有し、
前記電気駆動部（２）は、作動トルク監視部（１６，１９）を有する、
請求項１から６のいずれか１項記載のゴデット。
【請求項８】
前記ゴデット周壁（１）は、糸（２９）を複数回巻き掛けた状態で案内するために、相対回動可能に支持されたローラ（２８）と協働する、
請求項１から７のいずれか１項記載のゴデット。
【請求項９】
前記電気駆動部（２）に、前記ゴデット周壁（１）を始動及び停止させるための手動スイッチ（２３）が割り当てられている、
請求項１から８のいずれか１項記載のゴデット。
【請求項１０】
ゴデットを制御する方法であって、
前記ゴデットのゴデット周壁を、電気駆動部によって駆動する方法において、
前記電気駆動部を、動作中断後に、手動で形成された前記ゴデット周壁の回転運動によって再始動させる、
ことを特徴とする方法。
【請求項１１】
前記ゴデット周壁を、制御電子機器が組み込まれたブラシレス同期モータのモータ軸によって駆動する、
請求項１０記載の方法。
【請求項１２】
前記モータ軸の回転運動中における前記ブラシレス同期モータの電流及び／又は電圧を測定し、測定値から、前記制御電子機器内で始動信号を生成する、
請求項１１記載の方法。
【請求項１３】
前記モータ軸の回転運動中における前記ブラシレス同期モータの時間的な電流増加及び／又は時間的な電圧増加を測定し、測定値から、前記制御電子機器内で始動信号を生成する、
請求項１１記載の方法。
【請求項１４】
前記モータ軸の角加速度を求め、前記角加速度の実際値と閾値との比較に基づいて前記始動信号を生成する、
請求項１２又は１３記載の方法。
【請求項１５】
前記電気駆動部の作動トルクを継続的に監視する、
請求項１０から１４のいずれか１項記載の方法。
【請求項１６】
繊維機械におけるゴデットを操作する方法であって、
動作状態において糸を案内するために電気駆動部によってゴデット周壁を駆動する方法において、
動作中断後に、操作員によって手動で形成された前記ゴデット周壁の回転運動によって前記電気駆動部の再始動を実施する、
ことを特徴とする方法。
【請求項１７】
前記ゴデット周壁を、制御電子機器が組み込まれたブラシレス同期モータによって駆動し、
前記ブラシレス同期モータを再始動させるために前記ゴデット周壁において手動で形成される前記回転運動を、モータ回転方向に、又は、モータ回転方向とは反対方向に実施する、
請求項１６記載の方法。
【請求項１８】
複数のゴデット周壁の複数の電気駆動部をグループスイッチングする際に、１つの電気駆動部を１つの手動で操作可能なスイッチによって始動及び停止させる、
請求項１６又は１７記載の方法。
【発明の詳細な説明】
【技術分野】
【０００１】
本発明は、請求項１の上位概念に記載された糸を案内するためのゴデットと、請求項１０の上位概念に記載されたゴデットを制御する方法と、請求項１６の上位概念に記載されたゴデットを操作する方法とに関する。
【０００２】
糸の製造時及び処理時には、糸は、案内、送り、又は延伸のために、ゴデットの回転するゴデット周壁の周囲に１回又は複数回、部分的に巻き掛けられるように案内されることが一般的に知られている。このようなゴデットは、繊維機械又は製造プロセスにおける糸の搬送を保証する。例えば延伸や仮撚加工のためのテクスチャリング加工プロセスでは、未処理糸が供給パッケージとして準備され、テクスチャリング加工機の内部で、加工箇所内で前後に配置された複数のゴデットによって案内される。加工箇所においてそれぞれの糸が延伸され、テクスチャリング加工され、その後、巻き取られて１つのパッケージにされる。
【０００３】
このようなゴデット及びゴデットを制御する方法は、例えば国際公開第２００７／１３４７３２号から公知である。
【０００４】
公知のゴデットは、糸を案内するために、電気駆動部に結合された駆動可能なゴデット周壁を有する。糸は、駆動されたゴデット周壁の周囲に案内される。ここで、例えば下流の巻取装置内でパッケージを交換する際に、糸弛み又は誤供給が発生したり、それどころか加工箇所内で糸切れが発生したりする危険が存在する。しかも、このような糸案内中の糸張力の変化によって、駆動中のゴデット周壁上に望ましくない糸巻き付きが引き起こされるおそれがある。中断時間をできるだけ短縮するために、公知のゴデットでは、ゴデット周壁の糸案内状況が巻き付きセンサによって監視され、電気駆動部の迅速なスイッチオフを可能にしている。ゴデット周壁の周囲の糸巻き付きが除去された後、巻き付きセンサは自身の初期位置に移され、これにより、中断されていた電気駆動部への電圧供給が再び実施されて、電気駆動部の再始動が可能となる。この場合にはこの巻き付きセンサを、電気駆動部を再始動させるためのスイッチとして直接利用することができる。
【０００５】
しかしながら従来技術では、電気駆動部が別個のスイッチによって起動される形式のゴデットも一般的に公知である。スイッチが巻き付き監視のための付加的な機能を担っているかどうかに関係なく、スイッチと電気駆動部との間には面倒な配線が必要である。スイッチの操作は操作員によって行われ、動作中断後に操作員が改めてゴデットの周囲に糸を掛ける。
【０００６】
そこで、本発明の課題は、上位概念に記載した形式のゴデットと、上位概念に記載した形式のゴデットを制御する方法とを改良して、動作中断後におけるゴデットの電気駆動部の起動を、付加的な補助手段を用いることなく可能にすることである。
【０００７】
本発明の別の課題は、特にプロセスシーケンス及びその要求に適合されている、繊維機械におけるゴデットを操作する方法を提供することである。
【０００８】
上記の課題は、請求項１に記載の特徴を有するゴデットと、請求項１０に記載の特徴を有するゴデットを制御する方法と、請求項１６に記載の特徴を有するゴデットを操作する方法とによって解決される。
【０００９】
本発明の有利な発展形態は、上記の特徴と、これらの特徴の組み合わせとによって規定されている。
【００１０】
本発明は、糸の案内に使用される繊維機械のゴデットが、比較的質量が小さいゴデット周壁を有し、且つこのゴデット周壁が比較的小さい質量慣性モーメントを有する、という認識に基づくものである。従って、このようなゴデットのゴデット周壁における回転運動を、操作員によって補助手段を用いることなく手動で形成することが可能である。動作中断後には操作員が吸引銃を用いて手動で再び糸を掛けて、ゴデット周壁の端面から糸を導入することが一般的であるので、ゴデット周壁における操作員の手を介した手動での回転運動を引き起こすことが可能である。ゴデット周壁において手動で形成された回転運動は、電気駆動部内へと伝達され、検出して相応の再始動のために利用することができる。この場合、電気駆動部を起動するための付加的なスイッチ手段は必要ない。
【００１１】
ゴデット周壁の回転運動によって直接的に電気駆動部において検出可能な信号を生成するために、本発明に係るゴデットは好ましくは、電気駆動部が、制御電子機器が組み込まれたブラシレス同期モータによって構成されるように構成されており、ゴデット周壁は、同期モータのモータ軸に固定的に接続されている。従って、ゴデット周壁の回転によって同期モータ内のモータ軸が駆動される。これにより、同期モータ内のステータとロータとの間の磁気的結合によって、直接電気的に評価可能な信号を生成することができる。
【００１２】
測定可能な信号として、誘導された電圧又は誘導されたモータ電流を利用することができる。この場合、本発明の発展形態によれば有利には、制御電子機器が、誘導された電圧を検出するための電圧測定器と、始動信号を生成するための評価ユニットとを有する。これに代わる形態では、制御電子機器に、モータ電流を検出するための電流測定器が設けられており、評価ユニットが、電流測定値から対応する始動信号を生成する。
【００１３】
しかしながら、とりわけゴデット周壁の周囲の望ましくない糸巻き付きを除去する際にゴデットを操作すると、ゴデット周壁において意図しない回転運動が発生してしまう。ゴデット周壁のこのような望ましくない回転運動が発生した場合に、電気駆動部が尚早に再始動されないようにするために、本発明に係るゴデットの発展形態によれば好ましくは、評価ユニットが、同期モータのモータ軸の角加速度を求めるための微分オペレータを有する。電流変化又は電圧変化の増加速度は、モータ軸の角加速度に比例している。モータ軸の角加速度が充分である場合にのみ、再始動を実施することができる。
【００１４】
従って、評価ユニットは、角加速度の実際値を保存された閾値と比較するための比較器を有する。これによって、ゴデット周壁の望ましくない回転運動に起因した電気駆動部内での信号形成を、除去することができる。
【００１５】
ゴデットの動作中に電気駆動部の過負荷を回避するために、本発明の発展形態によれば、ゴデット周壁に、小さい間隔をおいて摩擦手段が割り当てられており、前記摩擦手段は、ゴデット周壁とは反対側に摩擦面を有し、電気駆動部は、前記摩擦手段において作動トルク監視部を有する。従って、ゴデット周壁の周囲に糸巻き付きが発生した場合に、電気駆動部の作動トルクを跳躍的に増加させることが可能となり、これによって過負荷を回避するための迅速なスイッチオフが可能となる。
【００１６】
糸張力を増加させるために、糸は、ゴデット周壁の周囲に好ましくは複数回巻き掛けられるように案内される。これに関して、本発明に係るゴデットの発展形態によれば、ゴデット周壁は、糸を複数回巻き掛けた状態で案内するために、相対回動可能に支持されたローラと協働する。
【００１７】
繊維機械においてはさらに、多数の加工箇所が互いに隣り合って配置されており、複数のゴデットが、プロセス開始時及びプロセス終了時に１つのグループとして隣接して一緒に制御されることが通常である。この場合には電気駆動部に、ゴデット周壁を始動及び停止するための手動スイッチを割り当てることが有利である。
【００１８】
本発明に係るゴデットは、１つのゴデット周壁の周囲に複数の糸を同時に案内するためにも基本的に適している。この場合には、電気駆動部に結合されたゴデット周壁を手動で回転運動させることが可能であることが重要である。
【００１９】
本発明に係るゴデットを制御する方法は、電気駆動部を起動するためにスイッチ制御を調整しなくてよいという点において優れている。それどころか、ゴデット周壁の回転運動を手動で形成することによって、ゴデット周壁の駆動部を直接的に再始動させることが可能である。
【００２０】
付加的な補助手段を用いることなく始動プロセスを自動的に実施できるようにするために、ゴデット周壁は、制御電子機器が組み込まれたブラシレス同期モータの駆動軸によって駆動されている。このようなＢＬＤＣモータは、制御アルゴリズムを直接、電気駆動部において実施可能とするために特に適している。
【００２１】
従って、モータ軸の回転運動中における同期モータの電流又は電圧を測定し、測定値から直接的に、制御電子機器内で始動信号を生成することができる。
【００２２】
とりわけ、例えば操作員が糸巻き付きを解く際に形成されるおそれがあるゴデット周壁の望ましくない回転運動を、再始動のために排除するために、好ましくは、モータ軸の回転運動中における同期モータの時間的な電流増加及び／又は時間的な電圧増加が測定され、その後、測定値から、制御電子機器内で始動信号が生成される。
【００２３】
手動で形成された回転運動によって誘導される電流又は電圧の増加速度は、モータ軸の角加速度に比例していることが判明している。従って、電流変化又は電圧変化の増加速度からモータ軸の角加速度を求めることができ、角加速度の実際値と閾値との比較に基づいて角加速度から始動信号を生成することが可能である。
【００２４】
ゴデットを制御する方法は、とりわけ電気駆動部のスイッチオフのために、電気駆動部の作動トルクを継続的に監視することによってさらに改善することができる。これにより、所定の限界作動トルクが超過された場合に、別の補助手段を用いることなく電気駆動部のスイッチオフを実現することが可能となる。
【００２５】
本発明に係る、繊維機械におけるゴデットを操作する方法は、ゴデットにおける糸切れ後に実施すべき全ての操作が、ゴデット周壁に直接関係しているという点において優れている。従って、ゴデット周壁の周囲での糸掛けと、ゴデット周壁の再始動とが必要である。従って、全ての実質的な操作は、直接ゴデット周壁において操作員によって実施可能である。操作員は、駆動部を再始動させるために手でゴデット周壁の回転運動を形成する。これに関し、ゴデット周壁の周方向に手を素早く動かすことによって、ゴデット周壁を回転に導くことができる。ゴデット周壁は、回転中に複数回の回転を伴う継続的な回転運動を実施する。この場合には、操作員は、好ましくは若干の力を加えながらゴデット周壁の周面に手を平坦に当て、その後、その手を素早くわきに動かすことによってゴデット周壁を回転方向に加速させることができる。
【００２６】
回転運動は、好ましくはモータ回転方向においても、モータ回転方向と反対の方向においても形成可能であり、制御電子機器が組み込まれたブラシレス同期モータによってゴデット周壁が駆動される。この場合に、モータ軸のどの回転方向で信号の誘導が実施されるは、信号形成にとって重要ではない。
【００２７】
とりわけ複数のゴデットが設けられている場合には、プロセスの開始及びプロセスの終了をそれぞれの動作状態に関係なく実施できるようにするために、１つの電気駆動部が１つの手動で操作可能なスイッチによって始動及び停止される。このようなスイッチは、複数のゴデットを制御するためのグループスイッチとして、又は、個々のゴデットを制御するための個別スイッチとして構成することができる。
【００２８】
本発明を、以下、本発明に係る装置の複数の実施例に基づいて、添付図面を参照しながらより詳細に説明する。
【図面の簡単な説明】
【００２９】
【図１】本発明に係るゴデットの１つの実施例の概略横断面図である。
【図２】繊維機械における複数の異なる動作状況における、図１の実施例の概略側面図である。
【図３】電気駆動部の始動信号を生成するための概略フローチャートである。
【図４】回転運動が手動で形成される際の、電気駆動部の測定信号の信号推移の概略図である。
【図５】本発明に係るゴデットの別の１つの実施例の概略側面図である。
【発明を実施するための形態】
【００３０】
図１には、本発明に係るゴデットの１つの実施例の横断面図が示されている。ゴデットは、カップ形のゴデット周壁１を有する。ゴデット周壁１は、電気駆動部２のモータ軸３の突出した自由端部に相対回動不能に固定されている。電気駆動部２は、本実施例ではいわゆるＢＬＤＣモータとしても知られるブラシレス同期モータ４として構成されている。従って、電気駆動部２は、同期モータ４と組み込まれた制御電子機器５とを含む。
【００３１】
電気駆動部２とゴデット周壁１とは１つの構造ユニットとして構成されており、電気駆動部２は、複数のパーツからなるハウジングを有する。同期モータ２のモータ軸３は、軸受ハウジング８内に複数の転がり軸受９を介して相対回動可能に支持されている。モータ軸３は、ゴデット周壁１とは反対側に、ロータ１０が配置された端部を有する。ロータ１０は、本明細書では詳細に説明しない永久磁石によって形成される。ロータ１０は、複数の巻線を支持するステータ１１によって取り囲まれている。ステータ１１は、モータ支持部１２によって保持されている。モータ支持部１２は、同期モータ４に直接的に接するように配置されたモータハウジング１３と、軸受ハウジング８との間に延在している。モータハウジング１３は、制御電子機器５を収容している。モータハウジング１３と軸受ハウジング８とは、複数の保持ウェブ３１を介して互いに接続されている。
【００３２】
制御電子機器５は、本実施例ではプリント基板１４、パワーモジュール１５、インバータ１７、及び評価ユニット１９によってシンボリックに表されている。制御電子機器５は、とりわけ測定手段１６を有し、この測定手段１６は、一般的に評価装置１９に結合されている。さらには、メモリ手段１８が設けられており、このメモリ手段１８は、一般的に評価ユニット１９内に組み込まれている。従って、メモリ手段１８と評価ユニット１９とを、１つのマイクロプロセッサとして構成することができる。
【００３３】
制御電子機器５は、給電線２１を介して図示されていない電圧源に結合されている。制御電子機器５への第２の接続部は、データ線路２０であり、このデータ線路２０は、上位の機械制御ユニット２２とのデータ交換を可能にする。本実施例ではさらに、プロセスの開始時又はプロセスの終了時に電気駆動部２の起動を可能にするために、制御電子機器５にスイッチ２３が直接的に結合されている。
【００３４】
以下では、図１に図示されたゴデットの機能を、さらなる図面２．１，２．２，２．３を参照しながら説明する。図２．１，２．２，２．３には、繊維機械において使用した場合における図１の実施例の概観がそれぞれ図示されている。図２．１には、糸案内による動作中のゴデットが図示されており、図２．２には、糸巻き付きが発生した場合の動作中のゴデットが図示されており、図２．３には、電気駆動部２の再起動時のゴデットが図示されている。
【００３５】
図１に即したゴデットが、繊維機械の内部で支持体２７に保持されている。ここでは、支持体２７の表側にゴデット周壁１が保持されており、支持体２７の後ろ側に電気駆動部２が保持されている。支持体２７の表側には、ゴデット周壁１に対して間隔をおいて、相対回動可能に支持されたローラ２８が割り当てられている。支持体２７の表側にはさらに摩擦手段２４が固定されており、この摩擦手段２４の摩擦面２６は、ゴデット周壁１に小さな間隔をおいて保持されている。摩擦手段２４は、本実施例では支持体２７に固定されたピン２５によって構成され、このピン２５は、ゴデット周壁１と同軸に方向決めされており、ゴデット周壁１のほぼ全長に亘って延在している。
【００３６】
図２．１には、糸２９が、ゴデット周壁１の周囲とローラ２８の周囲とに複数回巻き掛けられるように案内される状況が図示されている。ゴデット周壁１は、この動作状態では、同期モータ４によってほぼ一定の回転数で駆動される。同期モータ４は、制御電子機器５によって制御され、この際には、目標回転数がデータ入力部を介して制御電子機器５に入力される。
【００３７】
ゴデットの前又は後ろでの糸切れ、若しくはゴデットの前又は後ろでの糸弛みのせいで、ゴデット周壁１の周囲に糸巻き付きが形成された場合には、ゴデット周壁１においてその都度糸の張力が変化してしまい、ひいては同期モータ４の作動トルクが変化してしまう。この状況が、図２．２に図示されており、ここでは、走行中の糸２９が巻き付くことによってゴデット周壁１の周囲に糸巻き付き３０が発生している。これに代えて、既に走行し終わった糸によって糸巻き付き３０が発生して、戻ってきた糸が糸巻き付き３０へと案内される可能性もある。
【００３８】
ゴデット周壁１の周囲における糸巻き付き３０の発生形式とは関係なく、制御電子機器５においてその都度の作動トルクの実際値の変化が検出され、同期モータ４の作動トルクの保存された限界値と比較される。糸巻き付き３０が摩擦手段２４に接触すると直ぐに、摩擦面２６を介して付加的な作動トルクが形成され、この作動トルクが、同期モータ４の作動トルクの非常に急速な増加を引き起こす。作動トルクの許容できない過増加が確認されると直ぐに、制御電子機器５の評価ユニット１９において、同期モータ４をスイッチオフするためのスイッチング信号が形成される。ゴデット周壁１に結合されたモータ軸３が停止され、これにより、ゴデット周壁１の周囲の糸巻き付き３０を操作員が除去することが可能となる。
【００３９】
図２．３には、動作中断の終了直前の状況が図示されている。この状況では、操作員は、糸２９をハンドインジェクター３２へと案内して、ゴデット周壁１の周囲に糸を掛ける。ゴデット周壁１は、操作員が手を動かすことによって前もって回転運動される。このためにゴデット周壁１の周面に手が当てられ、これにより、操作員が回転方向に素早く手を動かすことによってゴデット周壁１の回転を加速させる。ゴデット周壁１はモータ軸３と共に回転し、これによって、同期モータ４内のロータ１０を介して信号が誘導される。
【００４０】
電気駆動部２の始動プロセスをさらに説明するために、図３が参照される。図３には、同期モータ４の始動信号を生成するためのフローチャートが図示されている。
【００４１】
モータ軸３の回転により、同期モータ４内にてモータ電流の誘導及び電圧の誘導が生じる。図１から分かるように制御電子機器５は、電流測定器又は電圧測定器として構成可能な測定手段１６を有する。この場合には測定手段１６によって、手動で形成されたゴデット周壁１及びモータ軸３の回転運動によって誘導された電圧Ｕ又はモータ電流Ｉが測定される。誘導された電圧又は誘導されたモータ電流の測定値は、制御電子機器５の評価ユニット１９に供給される。
【００４２】
モータ軸の回転運動の結果として誘導された信号を、手動で実施されたプロセスに一義的に対応付けるために、信号の振幅、ひいては誘導された電圧及び／又は誘導されたモータ電流を、一義的に評価することは不可能である。例えば、ゴデット周壁１の周囲の糸巻き付きを除去する際に、モータ軸の回転運動も形成される可能性があり、この回転運動が電流又は電圧を誘導してしまう。これらの回転運動を区別するために、検出された信号が微分される。このために評価ユニットは、微分オペレータ３３を有し、この微分オペレータ３３は、誘導された電圧及び／又は誘導されたモータ電流の増加速度を検出する。増加速度は、図３では商ｄ／ｄｔで表されている。この増加速度は、モータ軸３の角加速度に比例している。従って、測定信号の微分は、角加速度ａの尺度となる。
【００４３】
同期モータ４の始動プロセスに必要な角加速度は、閾値ａｓとして保存されている。このような閾値は、好ましくは制御電子機器５のメモリ手段１８に保存することができる。実際の状態を閾値と比較するために、評価ユニット１９は、算出された角加速度を角加速度の閾値ａｓと比較する比較器３４を有する。角加速度の閾値ａｓが超過された場合には、評価ユニット１９によって、同期モータ４を起動するための制御信号が形成される。評価ユニット１９はこのために、対応する信号をインバータ１７に供給する。角加速度の閾値ａｓが超過されていない場合には、評価ユニット１９によって始動機能がトリガされることはない。
【００４４】
始動信号を生成するための図３に図示されたフローチャートは、一例である。しかしながら、誘導された信号から始動信号を直接的に生成することも基本的には可能である。例えば図４には、誘導されたモータ電流の時間推移が概略的に図示されている。線図では、横軸に時間ｔが、縦軸にモータ電流Ｉがプロットされている。図４の線図は、参照符号Ｉ１及びＩ２が付された２つの推移を示している。モータ電流Ｉ１は、例えばゴデット周壁の回転運動が操作員によって手動で形成された時に同期モータ４において測定されたものである。参照符号Ｉ２が付された限界曲線は、例えば、糸巻き付きを除去している最中におけるゴデット周壁の望ましくない回転運動を表している。誘導されたモータ電流Ｉ１の推移とＩ２の推移とは、例えば時間差ｔ１−ｔ２から見て取れる傾きの点で実質的に異なっている。時点ｔ１に電流値Ｉ１とＩ２とが測定され、この場合、測定値Ｉ１は測定値Ｉ２よりも大きい。これに応じて時点ｔ２には、電流値Ｉ１’とＩ２’とが測定される。さてここで、微分のために、時間差ごとに発生する測定値変化が記録され、評価される。時間差ｔ１−ｔ２において発生した測定値変化Ｉ１’−Ｉ１とＩ２’−Ｉ２とが、電流値の変化速度の尺度となる。このようにして、この線図にはプロットされていない閾値と実際値を比較することによって、ゴデット周壁で形成されたその都度の回転運動を識別して、モータ駆動部の再始動のために利用することが可能となる。
【００４５】
図５には、例えば繊維機械において使用されるような、本発明に係るゴデットの別の１つの実施例が図示されている。図５の実施例は、合計で４つのゴデットを図示しており、これらのゴデットは、１つの共通の支持体２７に配置されている。支持体２７は、表側に複数のゴデット周壁１と複数のローラ２８とを保持しており、これらは、片持ち式に自由に相対回動可能に支持体２７に保持されている。これらのゴデット周壁１は、それぞれモータ軸３を介して、支持体２７の後ろ側に配置された電気駆動部２に結合されている。本実施例では、合計で４つの電気駆動部２が互いに隣り合って配置されている。当該支持体２７における電気駆動部２の個数及びゴデット周壁１の個数は、一例である。基本的には８個，１２個，１６個，又はそれ以上のゴデットを、１つのゴデット支持体に配置することができる。
【００４６】
支持体２７に保持された各ゴデットは、図１の実施例と同一に構成されている。図５に図示された実施例の場合には、各電気駆動部２への電力供給が１つの給電線２１を介して実施され、この給電線２１は、グループ制御ユニット３５とグループスイッチ３６とを介して詳細には図示されていない上位の給電ユニットに接続されている。各電気駆動部２は、好ましくはＢＵＳシステムとして構成されている１つのデータ線路２０を介してグループ制御ユニット３５に接続されている。グループ制御ユニット３５は、機械制御ユニット２２に結合されている。
【００４７】
グループ制御ユニット３５内には、対応するゴデットを動作させるために予め設定された動作パラメータが保存されており、それぞれの電気駆動部２を個別的に指定して駆動することが可能となっている。
【００４８】
本実施形態において、製品交換時におけるゴデット周壁の停止を可能にするために、それぞれの駆動部２に対して別個のスイッチ２３を割り当てることも可能である。図５には、これらのスイッチ２３が破線で図示されている。これらのゴデット周壁１のうちの１つにおいて糸巻き付きが発生して、動作中断が必要となった場合には、図１及び２の上述した実施例に応じてゴデットの操作及び制御が実施される。この場合には、上述した説明が参照される。
【００４９】
本発明に係るゴデット、本発明に係るゴデットを制御する方法、及び、本発明に係るゴデットを操作する方法は、繊維機械の内部に多数の加工箇所が存在する場合に迅速且つ確実なプロセス進行を維持するために特に適している。この場合には、制御電子機器が組み込まれたブラシレス同期モータを使用することによって面倒な配線を回避することができる。さらには、動作状態が変化した場合に迅速な反応時間を実現することができる。
【図１】
0006366724.tif 000002
【図２．１】
0006366724.tif 000003
【図２．２】
0006366724.tif 000004
【図２．３】
0006366724.tif 000005
【図３】
0006366724.tif 000006
【図４】
0006366724.tif 000007
【図５】
0006366724.tif 000008